(57)【要約】【課題】  文字イメージを手間を掛けずに入力し、画像イメージと合成してプリントするプリント装置を構成する。【解決手段】  プリント見本Ｅの２次元バーコードＢＣのコード情報をバーコードリーダ２２で取得することにより、そのコード情報に含まれる文字情報を文字イメージ化し、コード情報に含まれる文字制御情報に基づくレイアウトで配置し、画像情報に基づいた画像イメージをコード情報に含まれる画像制御情報に基づくレイアウトで配置してプリント部Ｂにおいてプリントする。【選択図】        図１
2005234012.tif 000002
【特許請求の範囲】
【請求項１】
画像情報に基づいた画像イメージと、文字情報に対応した文字イメージとを同一のプリント媒体にプリントするプリント機構を備えているプリント装置であって、
バーコードからコード情報を取得するバーコードセンサと、前記プリント機構を制御するプリント処理手段とを備えると共に、前記プリント処理手段が、前記コード情報に含まれる制御情報に基づいて前記コード情報に含まれる前記文字情報に対応した文字イメージと、前記画像情報に基づいた画像イメージとの相対的なプリント位置関係を設定するよう構成されているプリント装置。
【請求項２】
前記制御情報は、前記プリント媒体における前記文字のプリント位置及びプリントサイズを設定する文字制御情報と、前記プリント媒体における前記画像のプリント位置及びプリントサイズを設定する画像制御情報との少なくとも一方を予め設定された文法に従って記述した構造を有しており、前記文字制御情報と画像情報制御情報との少なくとも一方を抽出する制御情報抽出手段を備えている請求項１記載のプリント装置。
【請求項３】
前記バーコードセンサが、２次元バーコードから前記コード情報を取得するよう構成されている請求項１又は２記載のプリント装置。
【請求項４】
前記プリント処理手段によって前記プリント媒体にプリントされる文字イメージ及び画像イメージをシミュレートしてディスプレイに表示し、この表示状態において前記制御情報を任意に設定できるシミュレート手段を備えている請求項１〜３の何れか１項に記載のプリント装置。
【請求項５】
前記シミュレート手段によって任意に設定された制御情報と文字情報と含むコード情報を前記バーコードのイメージに変換して前記プリント媒体にプリントするバーコードプリント手段を備えている請求項４記載のプリント装置。
【発明の詳細な説明】
【技術分野】
【０００１】
本発明は、画像情報に基づいた画像イメージと、文字情報に対応した文字イメージとを同一のプリント媒体にプリントするプリント機構を備えているプリント装置に関する。
【背景技術】
【０００２】
上記のように構成されたプリント装置として特許文献１及び特許文献２に記載されるものが存在する。特許文献１は、画像データ記憶部に対して画像データを記憶し、文字データ記憶部に文字データを記憶し、このように記憶した画像データと文字データとから画像合成部が合成画像データを作成し、この合成画像データを露光ヘッドに転送することによりペーパに画像を露光するものとなっている。
【０００３】
また、特許文献２は、ポストカードを作成する際には、受付用の端末として機能するポストカード作成装置に画像データを取り込むことにより、この画像データとハードディスクから読み出したテンプレートとを合成してディスプレイに表示し、レイアウトや文字情報の修正を行い、注文情報を入力し、プリンタによって仕上がり見本と顧客控え等をプリントし、注文ファイルを作成する。この後、注文ファイルが通信回線を介して注文受信サーバに送られ、この注文受信サーバでは注文ファイルに含まれているテンプレートコードに基づいて対応するテンプレートと、圧縮符号化されていた画像データと、顧客特有の文字情報とを合成し、プリントサーバに転送することによりプリントを実現するものとなっている。
【０００４】
【特許文献１】特開２００３‐４６７５０号公報  （段落番号〔０００９〕〜〔００２８〕、図１、図４）
【特許文献２】特開２００２−１００６１号公報  （段落番号〔００４８〕〜〔００５４〕、図１〜図３）
【発明の開示】
【発明が解決しようとする課題】
【０００５】
ここで、画像イメージと、文字イメージとの合成処理を考えると、画像イメージは顧客がデジタルカメラで撮影したものや、顧客が持参した写真や印刷物等からイメージスキャナで取得したもののように、顧客毎に異なるのが普通であるが、文字イメージは年賀状やグリーティングカードでは決まった文字列（文言）を用いられることが多い。しかしながら、年賀状やグリーティングカードであっても夫々に用いられる文字列は多種多様である。この点を考えると、特許文献２のように文字列を含んだテンプレートを予め準備しておき、そのテンプレートに画像イメージを合成する処理を行うものでは、極めて多くのテンプレートを準備しておかねばならず、テンプレートを作成する手間や、テンプレートを保存する記憶領域の容量の面で改善の余地がある。
【０００６】
また、年賀状やグリーティングカードであっても用いられる文字列は時代を反映したものや、流行に関連した文言を用いることも多く、多くの種類のテンプレートを準備しておいても時間の経過に対応できないこともある。このような不都合を改善する目的から文字イメージをキーボード等から入力し、この入力の後に人為的にレイアウトを設定することも考えられるが、このようにマニュアル操作を必要とするものでは熟練を要し、却って手間と時間とが掛かることが考えられる。
【０００７】
本発明の目的は、文字イメージを手間を掛けずに入力し、画像イメージと合理的に合成してプリントし得るプリント装置を構成する点にある。
【課題を解決するための手段】
【０００８】
本発明の特徴は、画像情報に基づいた画像イメージと、文字情報に対応した文字イメージとを同一のプリント媒体にプリントするプリント機構を備えているプリント装置において、バーコードからコード情報を取得するバーコードセンサと、前記プリント機構を制御するプリント処理手段とを備えると共に、前記プリント処理手段が、前記コード情報に含まれる制御情報に基づいて前記コード情報に含まれる前記文字情報に対応した文字イメージと、前記画像情報に基づいた画像イメージとの相対的なプリント位置関係を設定するよう構成した点にある。
【０００９】
この構成により、バーコードセンサで取得したコード情報に含まれる文字情報から、プリント処理手段が文字イメージを生成し、コード情報に含まれる制御情報に基づいてプリント処理手段が文字イメージと画像イメージとの相対的なプリント位置関係を設定するため、例えば、キーボードから文字情報を入力する等の入力を行わずに済み、文字情報に対応した文字イメージと画像イメージとの相対的な位置関係、即ち、レイアウトを人為的に行わずに済むものとなる。このことは、年賀状やグリーティングカード等に用いられる文字イメージに対応する文字情報と、この文字イメージと画像イメージとの相対的なプリント位置関係をバーコードセンサで取得可能となるコードデータとして保存しておくだけで、テンプレートとしてハードディスク等に保存しなくとも、テンプレートと同様に、文字イメージと画像イメージとを決まったレイアウトでプリントできるものとなる。従って、文字イメージを手間を掛けずに入力し、画像イメージと合理的に合成してプリントし得るプリント装置が構成されたのである。特に、本発明によると、例えば、決まった文言を設定されたレイアウトでプリントした多数のプリント見本をアルバムのように保存し、夫々にコード情報を付しておくことにより、顧客が希望するプリント形態をアルバムから選択して貰った後には、そのプリント形態に対応するコード情報をコードセンサで取得する操作を行うだけで済み、ディスプレイにテンプレートを表示するものと比較して、操作が簡単で選択に要する時間も短縮できるものとなる。
【００１０】
本発明は、前記制御情報として、前記プリント媒体における前記文字のプリント位置及びプリントサイズを設定する文字制御情報と、前記プリント媒体における前記画像のプリント位置及びプリントサイズを設定する画像制御情報との少なくとも一方を予め設定された文法に従って記述した構造を有しており、前記文字制御情報と画像情報制御情報との少なくとも一方を抽出する制御情報抽出手段を備えても良い。
【００１１】
この構成により、プリント処理機構は、コード情報に含まれる制御情報を予め設定された文法に従って解析することにより、文字制御情報と画像制御情報との少なくとも一方を抽出し、このように抽出した文字制御情報と画像制御情報との少なくとも一方に基づいてプリント位置とプリントサイズとを設定してプリントを実行できるものとなる。
【００１２】
本発明は、前記バーコードセンサとして、２次元バーコードから前記コード情報を取得するよう構成しても良い。
【００１３】
この構成により、２次元バーコードより情報量が大きい２次元バーコードを用いることによって、文字情報として長い文章をコード情報に含めることが可能になるばかりか、複雑な制御を実現する。
【００１４】
本発明は、前記プリント処理手段によって前記プリント媒体にプリントされる文字イメージ及び画像イメージをシミュレートしてディスプレイに表示し、この表示状態において前記制御情報を任意に設定できるシミュレート手段を備えても良い。
【００１５】
この構成により、シミュレート手段が、プリントすべき画像イメージと文字イメージとをディスプレイに表示するので、画像イメージと文字イメージとのレイアウトをディスプレイを介して確認できるばかりでなく、画像イメージと文字イメージとのサイズやレイアウトを任意に設定することや、文字イメージの文章も任意に変更できる。
【００１６】
本発明は、前記シミュレート手段によって任意に設定された制御情報と文字情報と含むコード情報を前記バーコードのイメージに変換して前記プリント媒体にプリントするバーコードプリント手段を備えても良い。
【００１７】
この構成により、任意に設定したレイアウト等の制御情報をバーコードとしてプリント媒体にプリントできるものとなり、このようにプリントを行ったプリント物を、レイアウト見本として利用することも可能となる。
【発明を実施するための最良の形態】
【００１８】
以下、本発明の実施形態を図面に基づいて説明する。
〔全体構成〕図１に示すように、現像済みの写真フィルムＦの画像情報のデジタル信号化処理を行い、デジタル信号化された画像情報の処理を行い、システム全体の基本的な制御を行うオペレート部Ａを備えると共に、プリント媒体としての銀塩式のカラー印画紙Ｐ（以下、印画紙Ｐと略称する）に対して露光処理と現像処理とを行い、かつ、乾燥処理を行った後に送り出すプリント機構としてのプリント部Ｂを備え、更に、オペレータが顧客と対面して応対できる受付部Ｃを備えてデジタルミニラボと称せられるプリント装置が構成されている。
【００１９】
〔オペレート部〕前記オペレート部Ａは、デスク部１に対して写真フィルムＦのコマ画像を光電変換してデジタル信号化された画像情報として取り込むフィルムスキャナ２と、各種情報を表示するディスプレイ３と、画像処理と各種処理とを実現するよう汎用コンピュータで成る処理装置４とを配置し、デスク部１の上面に情報を入力するためのキーボード５と、マウス６とを備えている。前記処理装置４の上部にＣＤやＭＯやＦＤ等のディスク型の記憶媒体からの情報を取得する、あるいは、半導体型の記憶媒体からの情報を取得するよう記憶媒体の構造に対応したメディアドライブ７を備え、内部に情報を保存する半導体メモリやハードディスク等（図２を参照）を備えている。
【００２０】
前記フィルムスキャナ２は、下部に発光ダイオードやハロゲンランプ等を有した光源部を配置し、中間部にズームレンズを配置し、上部にズームレンズからの画像情報をＲ（赤）、Ｇ（緑）、Ｂ（青）三原色に色分解して取り込むラインＣＣＤ型の光電変換部を備えている。そして、スキャニングを行う場合には、写真フィルムＦのサイズに適合したフィルムキャリア８を光源部の上面に装着して、写真フィルムＦを副走査方向（長手方向）に搬送する作動と同期して光電変換部において写真フィルムＦの画像情報を主走査方向に沿ってデジタル信号化して取り込む処理が行われる。
【００２１】
〔プリント部〕前記プリント部Ｂは、印画紙Ｐに対して露光を行う露光ブロックＥｘと、露光された印画紙Ｐの現像処理を行う現像ブロックＤｅと、現像処理後の印画紙Ｐを乾燥する乾燥ブロックＤｒとを筐体１０に収納して成ると共に、筐体１０の外部には、処理の後に筐体１０の上部から水平方向に送り出される印画紙Ｐを水平方向に送る搬送ベルト１１を備え、この搬送ベルト１１から送られる印画紙Ｐをオーダ単位で仕分けて集積するよう複数のトレー１２を有したソータ１３を備え、更に、搬送ベルト１１の下方位置には大きいサイズの印画紙Ｐを受け止めるラック１４を備えている。
【００２２】
前記露光ブロックＥｘは、Ｒ（赤）、Ｇ（緑）、Ｂ（青）の三原色のレーザ光源からの光線を音響光学式の変調手段によって光量を調節した後、縦軸芯で回転するポリゴンミラーのミラー面で反射させることにより主走査方向に走査する形態で露光位置の印画紙Ｐに対して送り出すレーザ走査型のものを使用しているが、ＰＬＺＴ方式蛍光ビーム方式、液晶シャッター方式、ＤＭＤ方式又はＦＯＣＲＴ等の使用が可能である。
【００２３】
〔受付部〕前記受付部Ｃはカウンター２０の上面に液晶型のユーザーディスプレイ２１を設置すると共に、２次元バーコードＢＣのコード情報を取得するバーコードセンサとしてのバーコードリーダ２２を備えている。このバーコードリーダ２２は、２次元バーコードのイメージを光学レンズを介してＣＣＤ型の光電変換素子に導き、コード情報を電気信号化して出力する構造のものである。
【００２４】
この受付部Ｃには、複数のプリント見本Ｅをアルバム状に綴じた見本綴りを備えており、この見本綴りには、図３に示すように、「年賀状」「グリーティングカード」「名刺」「文字入れ」等の代表的な複数種のプリント見本Ｅが綴られている。同図には「年賀状」「グリーティングカード」「名刺」「文字入れ」を１種類だけ示しているが、「年賀状」「グリーティングカード」の場合には多数の種類が綴られており、夫々とも縦構図（縦長）、横構図（横長）や、プリントされる代表的な文章が多数セットされている。また、「名刺」の場合には、定型の文章の他に、名前や会社名等の文字イメージの領域が予め確保され、この文字イメージ領域に対してキーボード５等から文字情報を入力できるよう構成されている。更に、この「文字入れ」では、任意の領域に対してキーボード５等から文字情報を入力することも可能に構成されている。
【００２５】
本発明は、前記バーコードリーダ２２によって、２次元バーコードＢＣとしてＱＲコードのコード情報を取得することを想定したものであるが、データ・マトリクス形式やＰＤＦ４１７形式のように２次元的にコードデータを配置した構造の２次元バーコードを利用するよう構成しても良い。
【００２６】
〔制御系〕図２に示すように前記処理装置４の制御系が構成されている。つまり、マイクロプロセッサＣＰＵのデータバスに対して半導体メモリＲＡＭ／ＲＯＭ、ハードディスクＨＤ、前記メディアドライブ７夫々を接続し、このデータバスに対して入出力インタフェースＩ／Ｏを介して前記フィルムスキャナ２を接続し、更に、前記データバスに対して前記ディスプレイ３、キーボード５、マウス６、ユーザーディスプレイ２１、バーコードリーダ２２、及び、通信インタフェース２３を接続している。また、この処理装置４では、ディスプレイ３に表示された情報に従って各種の処理を前記キーボード５やマウス６の操作により実現するよう、ソフトウエアで成るオペレーティングシステム２５と、プリント処理手段２６と、補正手段２７と、レイアウト手段２８と、シミュレート手段２９と、バーコードプリント手段３０と、文字情報抽出手段３１と、制御情報抽出手段３２とが前記データバスを介してＣＰＵに対して情報のアクセスが可能に接続されている。
【００２７】
前記オペレーティングシステム２５は、ソフトウエアによって半導体メモリＲＡＭに作業領域を確保して基本的な処理を実現すると共に、処理状態を前記ディスプレイ３に表示した状態においてキーボード５やマウス６等からの操作により各種の処理を実現するインタフェースとして機能するものであり、前記プリント処理手段２６はオーダ情報に基づいてプリント対象と設定された画像情報のプリントを実現し、前記補正手段２７はディスプレイ３に対して画像イメージを表示した状態で色調やコントラスト等の補正処理を実現するものである。
【００２８】
また、前記レイアウト手段２８は後述するように２次元バーコードＢＣのコード情報に基づいて印画紙Ｐに対してプリントされる画像イメージと文字イメージとの位置関係を設定し、前記シミュレート手段２９は、前記レイアウト手段２８に基づいて配置される画像イメージと文字イメージとの位置関係をディスプレイ３とユーザーディスプレイ２１に表示する処理を実現し、前記バーコードプリント手段３０は印画紙Ｐに対してコード情報のイメージをプリントする処理を実現し、前記文字情報抽出手段３１は、前記バーコードリーダ２２で読み取ったコード情報から文字情報（文字コード）を抽出する処理を実現し、前記制御情報抽出手段３２は、前記バーコードリーダ２２で読み取ったコード情報から制御情報を抽出する処理を実現するものである。
【００２９】
尚、前記オペレーティングシステム２５と、オーダ情報に基づいてプリント処理を実行するプリント処理手段２６と、ディスプレイ３に対して画像情報を表示した状態で補正を実現する補正手段２７と、レイアウト処理手段２８と、シミュレート手段２９と、バーコードプリント手段３０と、文字情報抽出手段３１と、制御情報抽出手段３２とはソフトウエアだけで構成せず、ハードウエアで構成することや、ハードウエアとの組み合わせで構成することも可能である。
【００３０】
本発明のプリント装置は、前記フィルムスキャナ２において現像済みの写真フィルムＦから取得した画像情報、あるいは、前記メディアドライブ７を介して前記記憶媒体から取得した画像情報をオーダに従って印画紙Ｐにプリントする通常の処理の他に、前記受付部Ｃにおいて、複数のプリント見本Ｅをアルバム状に綴じた見本綴りから１つのプリント見本Ｅを選択し、そのプリント見本Ｅに形成されている２次元バーコードＢＣのコード情報をバーコードリーダ２２で読み取ることにより、選択したプリント見本Ｅと同じレイアウトで画像イメージと文字イメージとを印画紙Ｐにプリントする機能を具備したものである。このように２次元バーコードＢＣのコード情報に基づいて、設定されたレイアウトで画像イメージと文字イメージとを印画紙Ｐにプリントする処理は前記レイアウト処理手段２８によって実現するものであり、その処理形態を図５のフローチャートのように示すことが可能である。
【００３１】
つまり、年賀状やグリーティングカード等のように、画像イメージと文字イメージとを含むもののプリントを行う場合には、顧客に対してオペレータがプリント見本Ｅを提示し、そのプリント見本Ｅから顧客が選択した１つに対応する２次元バーコードＢＣのコード情報をバーコードリーダ２２で取得する操作を行う。この操作を行うことにより、処理装置４において、コード情報に含まれる文字情報を前記文字情報抽出手段３１が抽出し、このコード情報に含まれる制御情報を前記制御情報抽出手段３２が抽出し、更に、抽出された制御情報から文字制御情報と画像制御情報とプリント制御情報とが抽出される（＃０１、＃０２ステップ）。
【００３２】
前記コード情報は、テキスト文書として表示可能な２バイト又は１バイトの文字コード列で構成され、この文字コード列には文字情報と、制御情報と、これら文字情報・制御情報夫々を区別する識別情報とを含む文法に従って記述されている。前記文字情報は、日本語の場合、ＪＩＳ（日本工業規格）において設定されている２バイトの文字コード（シフトＪＩＳや、日本語ＥＵＣの文字コードであっても良い）を指すものである（１バイト系の文字コードの場合ＡＳＣＩＩコードを想定している）。前記制御情報は、文字イメージや画像イメージの表示位置（ロケイト情報）サイズ等の表示形態を設定する制御コードを指すものであり、特に文字制御情報には文字フォントを特定する情報や、文字イメージのサイズや、文字イメージの表示色、文字列の文字間隔や行間隔を示す情報を含むものである。
【００３３】
前記識別情報は、文字情報と、制御情報としての文字制御情報と、制御情報としての画像制御情報と、制御情報としてのプリント制御情報とを識別し得るものであれば良く、例えば、文字情報の場合、文字情報列の前後に配置される所定の制御コードや、前記コード情報のうち、文字情報が存在する先頭からの位置と文字情報の文字数とを示す数値であっても良い。更に、コード情報中における文字情報と文字制御情報と画像制御情報と識別し、この識別結果に基づいてレイアウトを設定するためにＨＴＭＬ（Hyper Text Markup Language）の文法に従ってコード情報を記述したものを用いても良い。
【００３４】
尚、前記コード情報は、文書情報を前述したように２バイト系の文字コード列で構成することが基本であるが、制御情報として文字コードに含まれないデータを用いて構成することも可能である。
【００３５】
次に、処理装置４が、プリント制御情報に従って印画紙Ｐのサイズや印画紙Ｐの姿勢（縦姿勢／横姿勢）を設定した状態において、ディスプレイ３及びユーザーディスプレイ２１に対して文字イメージを文字制御情報に従ってレイアウト表示する（＃０３ステップ）。このように文字イメージを表示する際には、文字制御情報に基づいて文字情報に対応するフォントを指定する処理を行い、文字制御情報に含まれるサイズ情報に対応したサイズで、かつ、文字制御情報に含まれる色情報に対応した色相で、文字制御情報に含まれる表示位置に対して文字イメージ（複数の場合には文字イメージ列）を設定されたレイヤーに描画する形態で表示する処理等が実行される。
【００３６】
次に、文字イメージが表示された後に処理装置４が画像情報をセットする（＃０４ステップ）。このように画像情報をセットする場合には、顧客が持参した写真フィルムＦから前記フィルムスキャナ２が取得した画像情報、あるいは、顧客が持参した記憶媒体から前記メディアドライブ７が取得した画像情報を用いることを想定しているが、既成の画像情報を用いることが画像制御情報に設定されている場合には、その画像制御情報が示す画像をハードディスクＨＤから抽出して用いることになる。
【００３７】
このように画像情報がセットされた後には、ディスプレイ３及びユーザーディスプレイ２１に対して画像情報に基づいた画像イメージを画像制御情報に従ってレイアウト表示する（＃０５ステップ）。また、このように画像イメージを表示する場合には、画像イメージを画像制御情報に基づいたサイズ（印画紙Ｐの全面に画像イメージを形成するものを含む）で、画像制御情報に基づいた位置に対して、前記レイヤーと異なるレイヤーに描画すし、このレイヤーを文字イメージを描画したレイヤーの下側に配置する処理が実行される。
【００３８】
次に、ユーザーディスプレイ２１に表示された画像イメージと文字イメージとに基づいて顧客に補正の可否の判断を求め、補正を行わない場合には、表示されたイメージがプリント部に送られ、任意に指定したプリント枚数のプリントが実行されるのである（＃０６、＃０７ステップ）。尚、この処理では文字イメージを先に表示し、その後に、画像イメージを表示する処理を行っていたが、この処理の順序は逆であって良く、また、文字イメージと画像イメージとを同時にディスプレイ３及びユーザーディスプレイ２１に表示する処理を行うものであって良い。
【００３９】
このように２次元バーコードＢＣのコード情報をバーコードリーダ２２で取得し、画像イメージと、文字イメージとを合成する処理の概要を図４のように示すことが可能である。同図においては、レイヤーＬ１に形成された領域Ｆ１に文字イメージが表示され、レイヤーＬ２に形成された領域Ｆ２に画像イメージが表示され、レイヤーＬ１がレイヤーＬ２に重ね合わせる形態での合成が行われるのである。また、レイヤーＬ２では、画像イメージを表示する領域Ｆ２がプリントサイズより小さく設定されていたが、この領域Ｆ２がプリントサイズと等しい大きさであっても良い。
【００４０】
また、＃０６ステップにおいてレイアウトの補正を行う処理が選択された場合には、レイアウト補正ルーチン（＃１００ステップ）が実行される。このレイアウト補正ルーチン（＃１００ステップ）は、図６のフローチャートに示すように、サブルーチンとしてセットされたものであり、このサブルーチンでは、文字イメージのサイズ、フォント、レイアウトを変更する処理と、画像イメージのサイズとレイアウトの変更する処理とを許容するものであり、この処理は前記キーボード５やマウス６の操作に基づき、前記レイアウト設定手段の処理によって実現する（＃１００１、＃１０２ステップ）。
【００４１】
次に、レイアウトの補正が終了した場合には、コード情報のプリント可否の判断を求め、プリントを行う場合には、前述のように変更したレイアウトに対応した制御情報、及び、文字情報を２次元バーコードＢＣのイメージ情報としてディスプレイ３及びユーザーディスプレイ２１に表示する処理を実行する（＃１０３〜＃１０５ステップ）。そして、このように表示された２次元バーコードＢＣのイメージはレイアウトプリントルーチンの＃０７ステップにおいて、文字イメージと画像イメージとともに印画紙Ｐにプリントされることになる。
【００４２】
本プリント装置では、印画紙Ｐにプリントされる画像イメージと文字イメージとのレイアウトやサイズをシミュレートしてディスプレイ３に表示した状態で任意に設定して前記プリント見本を作成する処理も行えるよう構成され、その制御形態を図７のフローチャートのように示すことが可能である。
【００４３】
つまり、プリント見本はハードディスクＨＤに予め保存されている既成の画像情報に基づいた画像イメージを用いるものと、顧客が持参した画像情報に基づいた画像イメージを用いるものとに区別されるものであり、この区別に従い、プリント見本を作成する場合にも、既成の画像（画像情報）を使用するもものか、否かの判断を先に行い、既成の画像を使用する場合には、ハードディスクＨＤに保存されている画像イメージをサムネイル形式等の比較的小さいサイズでディスプレイ３に一覧化して表示し、オペレータが任意に選択した画像イメージを強調表示することや、拡大表示する等の表示形態の変更によってオペレータに確認を求める（＃２０１〜＃２０４ステップ）。
【００４４】
前述のように、使用する画像を選択した後、及び、既成の画像を使用しない場合には、ディスプレイ３で表示形態を確認しながら画像イメージのサイズとレイアウトとの表示形態の設定を行い、キーボード等から文字を入力し（複数の文字を用いる場合には文章を入力し）、ディスプレイ３で表示形態を確認しながら文字イメージに用いるフォントとサイズとレイアウトとの表示形態を設定する（＃２０５〜＃２０７ステップ）。
【００４５】
つまり、ディスプレイ３で表示形態を確認しながら画像イメージと文字イメージとの表示形態を設定する処理は、前記シミュレート手段２９によって実現するものである。そして、既成の画像を使用する場合において画像イメージの表示形態を設定する際には、選択した画像イメージをディスプレイ３に表示してサイズとレイアウトを任意に設定することになり、既成の画像を使用しない場合には、画像の表示領域を示す枠やダミーの画像イメージをディスプレイ３に表示してサイズとレイアウトを任意に設定することになる。また、文字イメージのフォントと文字のサイズと、文字のレイアウトとの表示形態を設定する場合にもディスプレイ３に文字イメージを表示した状態で文字列の変更や文字間隔の変更をディスプレイ３において確認しながら任意に設定できることになる。
【００４６】
前述のように画像イメージと文字イメージとの表示形態が設定されている状況では、文字イメージに対応した文字情報と、この文字情報の文字イメージのレイアウト等に対応した文字制御情報とが既に生成されると共に、画像イメージのレイアウト等に対応した画像制御情報が既に生成されており、これらの制御情報と文字情報とを２次元バーコードのイメージに変換した後に、画像イメージ・文字イメージ・２次元バーコードのイメージのプリントを実行する（＃２０８、＃２０９ステップ）ことによりプリント見本Ｅをプリントできるのである。
【００４７】
前述のように画像イメージと文字イメージとの表示形態が設定された後に、制御情報と文字情報とに対応した２次元バーコードのイメージを生成してプリントする処理は前記バーコードプリント手段３０が実現する。また、このように画像イメージと文字イメージと２次元バーコードのイメージとをプリント見本として同じ印画紙Ｐにプリントする場合には、図３に示す如く、画像イメージと文字イメージとがプリントされるプリント領域より大きいサイズの印画紙Ｐに対して、プリント領域の領域外に２次元バーコードＢＣのイメージをプリントしているが、この２次元バーコードＢＣのイメージを画像イメージと文字イメージとがプリントされるプリント領域に重ね合わせる形態でプリントしても良い。
【００４８】
このように、本発明によると、年賀状やグリーティングカードのように画像イメージと文字イメージとをプリントするもののように、決まった文章を用いることが多いものでは、文字イメージに対応する文字情報と、この文字イメージと画像イメージとの相対的なプリント位置関係をバーコードセンサで取得可能となるコード情報として保存しておくだけで、例えば、テンプレートとしてハードディスクＨＤ等保存しなくとも、テンプレートと同様に文字イメージと画像イメージとを決まったレイアウトでプリントできるものとなる。従って、文字イメージを手間を掛けずに入力し、画像イメージと合理的に合成してプリントできるのである。特に、流行の文章を用いる場合や、レイアウトを任意に変更する場合にも、ディスプレイ３上において画像イメージと文字イメージとを確認しながらプリント見本を作成しておくだけで、同様のレイアウトのプリントを行えるものとなり、テンプレートを新たに作成するものと比較すると、例えば、テンプレートに対応した制御情報（例えばプリントチャンネル）を新たに設定する等の手間を掛けずに済み、ハードディスクＨＤの記憶領域を減ずることもないのである。
【００４９】
〔別実施の形態〕
本発明は、上記した実施形態以外に以下のように構成しても良い。
【００５０】
（イ）印画紙を用いるプリント装置以外に、インクジェット型のプリント装置に適用することや、昇華型のプリント装置に適用すること等、様々なプリント形態のプリント装置に適用することが可能である。
【００５１】
（ロ）文字情報を入力するためにキーボードを用いること以外に、既にプリントされている２次元バーコードに含まれる文字情報をバーコードリーダで読み取ることによって文字情報を取得するよう処理形態を設定しても良い。また、携帯電話機において文字情報を液晶ディスプレイに文字情報を２次元バーコードとして表示可能なものであれば、その液晶ディスプレイに表示された２次元バーコードをバーコードリーダで読み取ることによって文字情報を取得するよう処理形態を設定しても良い。
【００５２】
（ハ）プリント媒体の全面に対して画像イメージをプリントするよう画像イメージのプリント形態を設定し、前記コード情報は、文字情報と文字制御情報とで構成することによりプリント媒体の全面にプリントされた画像イメージに対して文字制御情報に基づいて文字イメージのレイアウトを設定するよう処理形態を設定しても良い。
【図面の簡単な説明】
【００５３】
【図１】プリント装置の全体を示す斜視図
【図２】制御系のブロック回路図
【図３】プリント見本を示す図
【図４】処理の流れを示す図
【図５】レイアウトプリントルーチンのフローチャート
【図６】レイアウト補正ルーチンのフローチャート
【図７】見本作成ルーチンのフローチャート
【符号の説明】
【００５４】
３            ディスプレイ
２２          バーコードセンサ
２６          プリント処理手段
２９          シミュレート手段
３０          バーコードプリント手段
３２          制御情報抽出手段
Ｂ            プリント機構
Ｐ            プリント媒体
【図１】
2005234012.tif 000003
【図２】
2005234012.tif 000004
【図３】
2005234012.tif 000005
【図４】
2005234012.tif 000006
【図５】
2005234012.tif 000007
【図６】
2005234012.tif 000008
【図７】
2005234012.tif 000009